(57)【要約】【課題】原子力施設において、汚染されない限り再使用可能であり且つ取り付け取り外しが容易な保護及び使い捨てインターベンションエンベロープ形テントを提供する。【解決手段】本発明は、特に汚染物体に対してインターベンションを行うための第１及び第２の軟質シート（２０，２１）を有する漏れ止め性保護及び使い捨てインターベンションエンベロープ形テントに関する。テントは、第１及び第２のシートにそれぞれ取り付けられた第１及び第２の部分（２３，２４）を有する第１の再使用可能なクロージャ部材（２２）と、第１及び第２のシートに連結されたフラップ（２５，２６）を含む第２の漏れ止めクロージャ部材（２５，２６）とを更に有する。フラップ及びシートがそれぞれ互いに取り付けられるとこれらは第１の機械的クロージャ部材とオーバーラップする。【選択図】図３
2014098556.tif 000002
【特許請求の範囲】
【請求項１】
特に汚染物体に対してインターベンションを行うための保護及び使い捨てインターベンションエンベロープ形テント（３）であって、前記テントは、漏れ止めであり、少なくとも第１の軟質の扁平なシート（２０）及び第２の軟質の扁平なシート（２１）を有する、保護及び使い捨てインターベンションエンベロープ形テントにおいて、前記テントは、第１及び第２の部分（２３，２４）を有する少なくとも１つの第１の機械的に耐性のある且つ再使用可能なクロージャ部材（２２）を更に有し、前記第１の部分（２３）は、前記第１のシートに取り付けられ、前記第２の部分（２４）は、前記第２のシートに取り付けられ、前記第１のクロージャ部材は、第１の軟質シート（２０）と前記第２の軟質シート（２１）を互いに取り付けたり取り外したりするよう設けられ、前記テントは、少なくとも１つの第２の漏れ止めであり且つ再使用可能なクロージャ部材（２５，２６）を更に有し、前記第２のクロージャ部材は、前記第１のシート（２０）に漏れ止め状態で連結された第１のフラップ（２５）及び前記第２のシート（２１）に漏れ止め状態で連結された第２のフラップ（２６）を含み、前記第１のフラップ（２５）と前記第２のフラップ（２６）は、漏れ止めシールによって互いに漏れ止め状態で取り付けられると共に前記第１のクロージャ部材と前記第２のクロージャ部材が互いに実質的に平行に延びていて、前記第１のフラップと前記第２のフラップ及び前記第１のシートと前記第２のシートがそれぞれ互いに取り付けられると、前記第１の機械的クロージャ部材とオーバーラップするように構成されている、保護及び使い捨てインターベンションエンベロープ形テント。
【請求項２】
前記テントが取り付け状態にあるとき、前記第１のクロージャ部材及び前記第２のクロージャ部材は、実質的に平行な方向に延びる、請求項１記載の保護及び使い捨てインターベンションエンベロープ形テント。
【請求項３】
前記テントが取り付け状態にあるとき、前記第１のクロージャ部材及び前記第２のクロージャ部材は、実質的に垂直の方向に延びる、請求項１記載の保護及び使い捨てインターベンションエンベロープ形テント。
【請求項４】
前記第１のクロージャ部材の前記第１の部分及び前記第２の部分は、それぞれ、前記第１のシート及び前記第２のシートの側方境界部のところに取り付けられ、前記テントは、少なくとも第３の軟質の扁平なシートを更に有し、前記第１のクロージャ部材は、前記第１又は前記第２のシートの横方向縁及び前記第３のシートの横方向縁にそれぞれ取り付けられた第３の部分及び第４の部分を更に有し、前記第３の部分及び前記第４の部分は、前記第３の部分及び前記第４の部分によって前記第１の軟質シート（２０）か前記第２の軟質シート（２１）かのいずれかを前記第３のシートに取り付けたり取り外したりするよう設けられ、前記第２のクロージャ部材は、前記第３のシートの前記横方向縁及び前記第１又は前記第２のシートにそれぞれ漏れ止め状態で連結された第３のフラップ（３７）及び第４のフラップ（３８）を有し、前記第１のフラップ、前記第２のフラップ、前記第３のフラップ及び前記第４のフラップは、前記第１のフラップ、前記第２のフラップ、前記第３のフラップ及び前記第４のフラップに取り付けられた漏れ止めシールによって互いに漏れ止め状態で取り付けられるよう構成され、前記第１のシート、前記第２のシート及び前記第３のシートは、いつでも、前記テントが取り付け状態にあるとき、少なくとも１つの実質的に水平に延びる第１のクロージャ部材と少なくとも１つの実質的に垂直に延びる第２のクロージャ部材の組み合わせを有するよう互いに隣接して位置決めされる、請求項１記載の保護及び使い捨てインターベンションエンベロープ形テント。
【請求項５】
前記フラップは、前記フラップが取り付けられているそれぞれの前記シートの広がりの下に位置する表面を越えて延びている、請求項１〜４のうちいずれか一に記載の保護及び使い捨てインターベンションエンベロープ形テント。
【請求項６】
前記漏れ止めシールは、前記フラップに施された溶接物によって形成されている、請求項１〜５のうちいずれか一に記載の保護及び使い捨てインターベンションエンベロープ形テント。
【請求項７】
各シートは、前記シートの互いに反対側に位置した少なくとも第１のシート縁及び少なくとも第２のシート縁を有し、前記第１の機械的クロージャ部材の前記第１の部分は、前記第１のシートの前記第１のシート縁に沿って取り付けられ、前記第１の機械的クロージャ部材の前記第２の部分は、前記第２のシート縁に沿って取り付けられ、前記第１の部分と前記第２の部分は、前記シートのうちの一方の前記第１の機械的クロージャ部材の前記第１の部分が前記一方のシートに隣接して位置するシートの前記第１の機械的クロージャ部材の前記第２の部分と取り付け取り外し可能な連絡部を形成するよう互いに相補している、請求項１〜４のうちいずれか一に記載の保護及び使い捨てインターベンションエンベロープ形テント。
【請求項８】
前記第１のクロージャ部材は、ジッパ又は面ファスナー取り付け部材によって形成されている、請求項１〜７のうちいずれか一に記載の保護及び使い捨てインターベンションエンベロープ形テント。
【請求項９】
前記テントは、複数個の第３の機械的に耐性のある且つ再使用可能なクロージャ部材を更に有し、各第３のクロージャ部材は、前記第１のシートに連結された第１のクロージャ要素及び前記第２のシートに連結された第２のクロージャ要素を含み、前記第１のクロージャ要素と前記第２のクロージャ要素は、閉鎖状態にあるときに前記第１及び前記第２の軟質シートの追加の取り付け部を形成すると共に前記少なくとも１つの第１の機械的クロージャ部材が閉鎖状態にあるとき、前記少なくとも１つの第１の機械的クロージャ部材を橋渡しするよう互いに相補している、請求項１〜８のうちいずれか一に記載の保護及び使い捨てインターベンションエンベロープ形テント。
【請求項１０】
前記第３のクロージャ部材は、前記シートの縁に沿って互いに一定距離を置いたところに設けられたバックルによって形成されている、請求項９記載の保護及び使い捨てインターベンションエンベロープ形テント。
【請求項１１】
前記エンベロープを保持する金属製支持体を更に有する、請求項１〜１０のうちいずれか一に記載の保護及び使い捨てインターベンションエンベロープ形テント。
【請求項１２】
請求項１〜１１のうちいずれか一に記載の保護及び使い捨てインターベンションエンベロープ形テントの漏れ止め性を試験する方法であって、ａ）前記クロージャ部材を用いることによって前記インターベンションエンベロープ形テントを閉じるステップと、ｂ）外側使い捨てエンクロージャを前記エンベロープの周りに設けるステップと、ｃ）前記外側使い捨てエンクロージャと前記エンベロープ形テントとの間に所定の濃度のトレーサーガスを提供するステップと、ｄ）前記エンベロープ形テント中への前記トレーサーガスの漏れを測定するステップとを有する、方法。
【請求項１３】
前記ステップａ）は、
ｉ）少なくとも１つの第１の機械的クロージャ部材又は少なくとも１つの第１及び第４の機械的クロージャ部材を閉鎖するステップと、
ｉｉ）少なくとも１つの第２の漏れ止めクロージャ部材又は少なくとも１つの第２及び第４の漏れ止めクロージャ部材を閉鎖するステップと、
ｉｉｉ）複数個の第３のバックアップクロージャ部材又は複数個の第３及び第６のバックアップクロージャ部材を閉鎖するステップとを更に含む、請求項１２記載の方法。
【請求項１４】
前記エンベロープの漏れは、前記外側使い捨てエンクロージャ、エンベロープ又はグローブボックス内の空気流量又は前記トレーサーガスの濃度を測定することによって評価される、請求項１２又は１３記載の方法。
【請求項１５】
前記トレーサーガス（８０）は、ＣＯ2、ＳＦ6又は冷媒ガスから選択される、請求項１２又は１３記載の方法。
【請求項１６】
請求項１〜１５のうちいずれか一に記載の保護及び使い捨てインターベンションエンベロープ形テントを貯蔵する方法であって、前記エンベロープを空気圧送装置に連結し、前記エンベロープは、前記エンベロープ内の空気が前記圧送装置によって送り出されている間に折り畳まれ、その後、前記折り畳み状態のエンベロープを巻いて巻き状態のエンベロープを形成し、しかる後、前記エンベロープを前記圧送装置から切り離し、しかる後、一次管の内部でシフトさせ、前記一次管を封止し、しかる後、二次管又はドラム内に貯蔵する、方法。
【請求項１７】
前記テントは、巻かれる前に、前記フラップの一部分を切除することにより前記シートを分離することによってテントセグメントに分割される、請求項１６記載の方法。
【発明の詳細な説明】
【技術分野】
【０００１】
本発明は、特に汚染物体に対してインターベンションを行うための保護及び使い捨てインターベンションエンベロープ形テントであって、このテントが漏れ止めであり、少なくとも第１の軟質の扁平なシート及び第２の軟質の扁平なシートを有する保護及び使い捨てインターベンションエンベロープ形テントに関する。特に、本発明は、汚染状態の物体、例えば核放射線を受けた物体又は細菌若しくはウイルスで汚染された物体に対してインターベンションを行うのに適した保護テントに関する。本発明は又、核エンクロージャの漏れ止め性を試験する方法及び保護テントをそのライフサイクル後に貯蔵する方法に関する。
【背景技術】
【０００２】
原子力施設、例えば混合酸化物（“ＭＯＸ”）及び他のプルトニウム含有燃料棒製造ラインを分解する場合、主要な問題のうちの１つは、内部が放射性物質で汚染状態になっているエンクロージャを、この放射性汚染物質を放出しないで、分解するという問題である。放射能汚染されたエンクロージャを分解する幾つかの方法が提案された。この場合、例えばグローブボックスが用いられている。というのは、この種のエンクロージャは、最も普及しているが、当然のことながら、他形式の核エンクロージャをこの目的のために用いることができるからである。
【０００３】
まず最初に、グローブボックスをこれが稼働状態にある建物内で分解されるべきかどうか又はグローブボックスをどこか他の場所に移すかどうかを考慮しなければならない。後者の場合、グローブボックスは、包装されて運搬される。この運搬は、グローブボックスの梱包の際、荷積みの際、輸送の際及び荷降ろしの際に汚染物質の放出の恐れを有する。さらに、非常に大きな寸法を備えたグローブボックスの運搬は、困難な場合があり、それどころか不可能な場合がある。
【０００４】
これら運搬上の欠点により、グローブボックスをその稼働建物の外部で分解することが、通常グローブボックスを処理するのに適した既存のホットセルが既に利用可能である場合にのみ考慮されている。
【０００５】
しかしながら、核エンクロージャ又はグローブボックスをこれが稼働している施設内で分解すべき場合、これが同一建物内の同一の部屋に位置しているにせよ又は別の部屋に位置しているにせよいずれにせよ、３種類の互いに異なる方法が提案され、即ち、グローブボックスをアルファ止めセル、切断ボックス又は保護テント内で分解する。
【０００６】
第１の方法では、グローブボックスを稼働施設内に設置された分解用アルファ止めセルまで運搬する。アルファ止めセルは、外部環境に向かって必要な分解作業を漏れ止め下で実施するのに必要な全ての切断機器を収容している。分解用ツールの作動は、アルファ止めセル内に立っているオペレータによって実施される。かかるオペレータは、自分達が漏れ止め部屋の内部環境内で働くことができるようにする専用の漏れ止め衣服及び呼吸装置を装備する。オペレータの出入りは、適当なエアロックを介して行われることが予想される。切断作業に起因して生じた廃棄物片の除去は、アルファ止めセルに連結された廃棄物ドラムを用いることによって実現される。
【０００７】
グローブボックスを稼働施設内に配置された切断ボックス内で分解しようとする場合、まず最初に、グローブボックスを切断ボックスまで運搬する。切断ボックスは、外部環境から隔離されたままの状態で分解作業を実現する切断機器を収容した専用グローブボックスである。グローブボックスと同様、切断ボックスは、グローブポート及び窓を備え、切断ボックスは、それ自体の換気システムにより減圧状態に維持される。切断ツールの作動は、切断ボックスの外部に立っているオペレータによって実施される。かかるオペレータは、グローブボックスについて作業する際に装備している機器及びモニタ装置と同様な機器及びモニタ装置を装備する。分解されるべきグローブボックスが収納された切断ボックスに入ることは、従来型バッグイン（bag-in）技術を用いて実施されるが、極めて大型のバッグが用いられる。このバッグイン技術により、エンクロージャの封じ込め状態を維持する一方で、機器又は他の物体を導入することができる。この目的のため、機器又は物体は、バッグ内に入れられ、このバッグの開放側にはＯリングが設けられている。次に、Ｏリングをエンクロージャの接近ポートの周囲に設けられた溝の中に固定し、それにより、接近ポートに既に存在している別のバッグとオーバーラップさせ、この別のバッグを閉じる。機器又は物体を導入するため、機器又は物体をバッグがエンクロージャ内に位置した状態で引く。機器又は物体がいったん内部に位置すると、機器又は物体が収納されているバッグによって接近ポートを閉鎖する。
【０００８】
切断作業に起因して生じる廃棄物片の除去は、切断ボックスに結合された廃棄物ドラムによって保証される。オプションとして、作業範囲を拡張すると共に放射線へのオペレータの被曝を減少させるために切断ボックスに軽量マスタ‐スレーブアーム及びトングを用いるのが良い。汚染状態のプロセスエンクロージャに対する大規模な保守を実施する際に同じような安全及び封じ込め上の問題に出会う。
【０００９】
ホットセル、アルファ止めセル及び切断ボックスの欠点に取り組むために、保護テントの技術が独国特許出願公開第４０３０１８６号明細書又はアール・バウマン（R. BAUMANN），ピー・ファーバー（P. FABER），「ディスマントリング・テクニクス・フォア・プロトニウム‐コンタミネイテッド・グローブボックス：エクスペリエンス・フロム・ファースト・イヤー・オブ・デコミッショニング（Dismantling Techniques for Plutonium-Contaminated Glove-boxes: Experience from First Year of Decommissioning）」，第６回インターナショナル・シンポジウム・オブ・ラジオアクティブ・アンド・デコミッショニング・ウェイスツ（6th International Symposium of Radioactive & Decommissioning Wastes），コンテック（Kontec）２００３，ベルリン，ドイツ，２００３年３月、エー・ヴァンダーグヘインスト（A. VANDERGHEYNST），ジェーエム・キュシェ（JM. CUCHET），「ストラテジー・フォア・デコミッショニング・オブ・グローブボックスィズ・イン・ザ・ベルゴニュークリア・デッセル・モックス・フュエル・ファブリケーション・プラント（Strategy for Decommissioning of Glove-Boxes in the Belgonucleaire Dessel Mox Fuel Fabrication Plant）」，第１１回インターナショナル・カンファレンス・オン・エンバイロメンタル・リメディエイション・アンド・ラジオアクティブ・ウェイスト・マネジメントICEM’07（11th International Conference on Environmental Remediation and Radioactive Waste Management, ICEM’07）ブリュージュ，ベルギー，２００７年９月２〜６日、及びエー・ヴァンダーグヘインスト（A. VANDERGHEYNST），ジェーエム・キュシェ（JM. CUCHET），スフェン（SFEN），「アン・エボリューショナリー・アプローチ・フォア・ザ・デコミッショニング・オブ・ザ・グローブ・ボックスィズ・イン・ザ・ベルゴニュークリア・デッセル・プラント（An evolutionary Approach for the Decommissioning of the Glove Boxes in the Belgonucleaire Dessel Plant）」，インターナショナル・カンファレンス「デコミッショニング・チャレンジズ：アン・インダストリアル・リアリティ（International Conference “Decommissioning Challenges: an Industrial Reality”），アヴィニョン，フランス，２００８年９月２８日〜１０月２日に提案されている。
【００１０】
この技術によれば、グローブボックスをグローブボックス稼働施設内に設置されている保護テントまで運搬し又は保護テントを現場でグローブボックスの周りに立設する。保護テントは、使い捨てであり、この保護テントは、分解されるべきグローブボックスの寸法形状に合わせて製作されると共に加圧下にあるときに潰れるのを阻止するための外側金属製支持体に取り付けられた柔軟性の漏れ止めエンベロープを有する。グローブボックスと同様、保護テント組立体は、グローブ及び窓を備えるのが良く、そしてそれ自体の換気システムによって真空に維持されるのが良い。本発明との関連において「減圧状態」という用語で理解される内容は、周囲雰囲気の圧力よりも著しく低い圧力である。テントは、外部環境から隔離された状態で分解作業を行うための切断機器（ソー、打抜き切断工具・・・）を収容することができる。分解ツールの作動は、分解用テントの外部に立っているオペレータによって実施される。これらオペレータは、プロセスグローブボックスを作動させている間に用いられるツール及びモニタ装置と同様なツール及びモニタ装置を装備するのが良い。切断作業に起因して生じた廃棄物は、従来型バッグアウト（bag-out）技術により接近ポートを介して又は漏れ止め状態で保護テントに結合された廃棄物ドラムに排出される。しかしながら、バッグアウト技術は、バッグイン技術に類似しているが、相違点は、この場合物体がグローブボックスに持ち込まれるのではなく、グローブボックスから持ち出されるということにある。
【００１１】
分解後、保護テントを二次的廃棄物として処分する。二次的廃棄物の量を制限するため、エンベロープは、構造的耐性及び漏れ止め性を提供するよう互いに溶接された薄肉耐性平板状シートで作られる。使用後、このエンベロープを破棄し、従って、このエンベロープを巻いて更に裁断してこれを小片にするのが良く又は後の段階で状態調整するためのドラム内に詰め込むのが良い。グローブ又はグローブポート、窓及び他の機械的及び電気的ツールを漏れ止め状態でエンベロープに取り付ける。分解された部品又は分解用のツールによるエンベロープに対する機械的損傷の場合に偶発的な汚染物質の放出を阻止するため、エンベロープは、通常の相当な減圧状態（１００〜２００Ｐａ）に維持される。エンベロープの耐性を試験し（例えば、動作圧力の２倍まで）、換気を適当な流量（例えば６０ｍ3／ｈ）で実施して相当な機械的損傷の場合であっても減圧状態を維持する。
【００１２】
この方式を実施する際、安全目的のため、エンベロープの隣り合うシート相互間の脆弱な又は欠陥のある溶接部を生じさせないようにすることが最も重要である。良好な品質の溶接部の実現を達成するため、テントが、品質管理プログラムに従ってあらかじめ製作され、プロセス制御装置を備えた大型溶接機械が専用製作所で用いられる。全体的気密度及び偶発的減圧状態に対する耐性は、分解プラントへの送り出し前に最終製品について試験される。
【００１３】
分解用グローブボックスとの関連において、「漏れ止め」として理解される内容は、絶対的気密度ではなく、達成可能なダスト及びエーロゾル封じ込めである。ただし、エンクロージャが周囲圧力に対して１００〜２００Ｐａの減圧状態に維持され、気密度が１時間当たり０．１体積％のオーダであることを条件とする。
【００１４】
しかしながら、グローブボックスを分解作業の際にエンベロープ内に導入することができるようにするため、エンベロープは、最初に開かれ、次に閉じられなければならず、この場合も又いったん汚染状態のグローブボックスが内部に位置すると漏れ止め性を測定する。
【先行技術文献】
【特許文献】
【００１５】
【特許文献１】独国特許出願公開第４０３０１８６号明細書
【非特許文献】
【００１６】
【非特許文献１】アール・バウマン（R. BAUMANN），ピー・ファーバー（P. FABER），「ディスマントリング・テクニクス・フォア・プロトニウム‐コンタミネイテッド・グローブボックス：エクスペリエンス・フロム・ファースト・イヤー・オブ・デコミッショニング（Dismantling Techniques for Plutonium-Contaminated Glove-boxes: Experience from First Year of Decommissioning）」，第６回インターナショナル・シンポジウム・オブ・ラジオアクティブ・アンド・デコミッショニング・ウェイスツ（6th International Symposium of Radioactive & Decommissioning Wastes），コンテック（Kontec）２００３，ベルリン，ドイツ，２００３年３月
【非特許文献２】エー・ヴァンダーグヘインスト（A. VANDERGHEYNST），ジェーエム・キュシェ（JM. CUCHET），「ストラテジー・フォア・デコミッショニング・オブ・グローブボックスィズ・イン・ザ・ベルゴニュークリア・デッセル・モックス・フュエル・ファブリケーション・プラント（Strategy for Decommissioning of Glove-Boxes in the Belgonucleaire Dessel Mox Fuel Fabrication Plant）」，第１１回インターナショナル・カンファレンス・オン・エンバイロメンタル・リメディエイション・アンド・ラジオアクティブ・ウェイスト・マネジメントICEM’07（11th International Conference on Environmental Remediation and Radioactive Waste Management, ICEM’07）ブリュージュ，ベルギー，２００７年９月２〜６日
【非特許文献３】エー・ヴァンダーグヘインスト（A. VANDERGHEYNST），ジェーエム・キュシェ（JM. CUCHET），スフェン（SFEN），「アン・エボリューショナリー・アプローチ・フォア・ザ・デコミッショニング・オブ・ザ・グローブ・ボックスィズ・イン・ザ・ベルゴニュークリア・デッセル・プラント（An evolutionary Approach for the Decommissioning of the Glove Boxes in the Belgonucleaire Dessel Plant）」，インターナショナル・カンファレンス「デコミッショニング・チャレンジズ：アン・インダストリアル・リアリティ（International Conference “Decommissioning Challenges: an Industrial Reality”），アヴィニョン，フランス，２００８年９月２８日〜１０月２日
【発明の概要】
【発明が解決しようとする課題】
【００１７】
グローブボックスが複雑な形状のものである場合、複雑な形状を漏れ止めエンベロープにも与え、従って、隣り合う軟質シートを交差角度で接合する一方でこれらの漏れ止め性を保証することが必要である。さらに、グローブボックスが大きな寸法を有している場合、漏れ止めエンベロープを非汚染状態での製造及び運搬の目的で且つこのエンベロープの内部がいったん非可逆的に汚染されると最終的な処分の目的のために種々の部分で特別に製作することが必要である。
【００１８】
本発明の目的は、汚染されない限り再使用可能であり且つ取り付け取り外しが容易な保護及び使い捨てインターベンションエンベロープ形テントを提供することにある。
【課題を解決するための手段】
【００１９】
この目的のため、本発明の保護及び使い捨てインターベンションエンベロープ形テントは、テントが第１及び第２の部分を有する少なくとも１つの第１の機械的に耐性のある且つ再使用可能なクロージャ部材を更に有し、第１の部分が第１のシートに取り付けられ、第２の部分が第２のシートに取り付けられ、第１のクロージャ部材が第１の軟質シートと第２の軟質シートを互いに取り付けたり取り外したりするよう設けられ、テントが少なくとも１つの第２の漏れ止めであり且つ再使用可能なクロージャ部材を更に有し、第２のクロージャ部材が第１のシートに漏れ止め状態で連結された第１のフラップ及び第２のシートに漏れ止め状態で連結された第２のフラップを含み、第１のフラップと第２のフラップは、漏れ止めシールによって互いに漏れ止め状態で取り付けられると共に第１のクロージャ部材と第２のクロージャ部材が互いに実質的に平行に延びていて、第１のフラップと第２のフラップ及び第１のシートと第２のシートがそれぞれ互いに取り付けられると、第１の機械的クロージャ部材とオーバーラップするように構成されていることを特徴とする。このテントを軟質の扁平なシートで構成すると、その取り付けは、互いに異なる軟質の扁平なシートを互いに組み立てることによって実現される。この目的のため、第１の機械的クロージャ部材が用いられ、この第１及び第２の部分は、例えばシートを互いに取り付けるよう互いに取り付けられる。シートに漏れ止め状態で取り付けられたフラップが設けられていることにより、シートの相互の漏れ止め状態での取り付けが可能になる。というのは、フラップは、互いに漏れ止め状態で取り付けられるからである。さらに、フラップが第１の機械的クロージャ部材とオーバーラップしているので、第１のクロージャ部材を通り過ぎた漏れは、フラップによって保持され、それにより確実な漏れ止めテントが提供される。
【００２０】
保護及び使い捨てインターベンションエンベロープ形テントの第１の好ましい実施形態は、テントが取り付け状態にあるとき、第１のクロージャ部材及び第２のクロージャ部材が実質的に平行な方向に延びることを特徴とする。これは、例えば、テントが水平に延びる第１及び第２のクロージャ部材によって互いに連結されたベース構造体及びフード構造体によって形成される場合である。
【００２１】
保護及び使い捨てインターベンションエンベロープ形テントの第２の好ましい実施形態は、第１のクロージャ部材の第１の部分及び第２の部分がそれぞれ第１のシート及び第２のシートの側方境界部のところに取り付けられ、テントが少なくとも第３の軟質の扁平なシートを更に有し、第１のクロージャ部材が第１又は第２のシートの横方向縁及び第３のシートの横方向縁にそれぞれ取り付けられた第３の部分及び第４の部分を更に有し、第３の部分及び第４の部分が第３の部分及び第４の部分によって第１の軟質シートか第２の軟質シートかのいずれかを第３のシートに取り付けたり取り外したりするよう設けられ、第２のクロージャ部材が第３のシートの横方向縁及び第１又は第２のシートにそれぞれ漏れ止め状態で連結された第３のフラップ及び第４のフラップを有し、第１のフラップ、第２のフラップ、第３のフラップ及び第４のフラップが第１のフラップ、第２のフラップ、第３のフラップ及び第４のフラップに取り付けられた漏れ止めシールによって互いに漏れ止め状態で取り付けられるよう構成され、第１のシート、第２のシート及び第３のシートがいつでも、テントが取り付け状態にあるとき、少なくとも１つの実質的に水平に延びる第１のクロージャ部材と少なくとも１つの実質的に垂直に延びる第２のクロージャ部材の組み合わせを有するよう互いに隣接して位置決めされることを特徴とする。これにより、より複雑な幾何学的形状のテントを構築することができる。というのは、第１及び第２のクロージャ部材を用いることにより互いに組み立てられた垂直及び水平に並置して設けられた複数枚のシートを用いることができるからである。
【００２２】
保護及び使い捨てインターベンションエンベロープ形テントの第３の好ましい実施形態は、フラップが、このフラップが取り付けられているそれぞれのシートの広がりの下に位置する表面を越えて延びることを特徴とする。このような仕方で、第１のクロージャ部材のＴ又は他の形状の並置状態の第１、第２、第３及び第４の部分を用いることができる。確かに、フラップは、これらのそれぞれのシートの表面を越えて延びているので、隣り合うシートの表面を越えてオーバーラップ状態を生じさせることも可能であり、それにより、テントの漏れ止め性が向上する。
【００２３】
保護及び使い捨てインターベンションエンベロープ形テントの第４の好ましい実施形態は、テントが複数個の第３の機械的に耐性のある且つ再使用可能なクロージャ部材を更に有し、各第３のクロージャ部材が第１のシートに連結された第１のクロージャ要素及び第２のシートに連結された第２のクロージャ要素を含み、第１のクロージャ要素と第２のクロージャ要素は、閉鎖状態にあるときに第１及び第２の軟質シートの追加の取り付け部を形成すると共に少なくとも１つの第１の機械的クロージャ部材が閉鎖状態にあるとき、少なくとも１つの第１の機械的クロージャ部材を橋渡しするよう互いに相補することを特徴とする。第３のクロージャ部材を用いることにより、シートの相互の取り付け具合を向上させることができる。第３のクロージャ部材が第１のクロージャ部材を橋渡ししているので、第３のクロージャ部材によって第１のクロージャ部材のありうる欠陥が補償される。
【００２４】
今、添付の図面を参照して本発明を詳細に説明する。
【図面の簡単な説明】
【００２５】
【図１】分解されるべきグローブボックスを覆っている保護及び使い捨てインターベンションエンベロープ形テントを示す図である。
【図２】分解されるべきグローブボックスを覆っている保護及び使い捨てインターベンションエンベロープ形テントのＩＩ‐ＩＩ′線矢視断面図である。
【図３】第１、第２及び第３のクロージャ部材の細部を示す図である。
【図４ａ】保護及び使い捨てインターベンションエンベロープ形テントの一部分の細部を示す図であり、垂直及び水平に取り付けられた第１、第２及び第３のクロージャ部材を示す図である。
【図４ｂ】保護及び使い捨てインターベンションエンベロープ形テントの一部分の細部を示す図であり、垂直及び水平に取り付けられた第１、第２及び第３のクロージャ部材を示す図である。
【図５ａ】第１、第２及び第３のクロージャ部材の細部の断面図である。
【図５ｂ】第１、第２及び第３のクロージャ部材の細部の断面図である。
【図５ｃ】第１、第２及び第３のクロージャ部材の細部の断面図である。
【図６ａ】直方体という幾何学的形状の保護テントを示す図である。
【図６ｂ】多数の直方体からなる幾何学的形状の保護テントを示す図である。
【図７】保護テントの漏れ止め性を試験する方法を示す図である。
【図８】テントの分解及び貯蔵の仕方を示す図である。
【図９】テントの分解及び貯蔵の仕方を示す図である。
【図１０】細断されるべきテントを貯蔵するための二次的管を示す図である。
【図１１】テントを分解後にどのようにドラム内に貯蔵するかを示す図である。
【発明を実施するための形態】
【００２６】
図面は、概略的であるに過ぎない。図中、要素のうちの幾つかの寸法は、誇張されている場合があり、例示目的だけで縮尺通りには描かれていない。さらに、同一の参照符号は、同一又は類似の要素を示している。
【００２７】
図１は、分解されるべきグローブボックス２（点線で示されている）を覆っている本発明の保護及び使い捨てインターベンションエンベロープ形テント１を示している。分かりやすくするために、本発明をグローブボックスの分解のための保護テントとしての実施例に関して説明する。しかしながら、本発明は、この実施例には限定されず、テントをあらゆる種類の汚染状態の物体に対するインターベンションのために使用できることが明らかであろう。保護テント１は、汚染の恐れがグローブボックス内部でのインターベンション中に最小限に抑えられるので必要な漏れ止め環境を作るための漏れ止めエンベロープ３を有している。保護テントの漏れ止め性は、漏れ止めクロージャ部材の使用によって保証され、かかる漏れ止めクロージャ部材は、エンベロープ形テントを形成する互いに異なるシート２０，２１相互間に漏れ止めシールをもたらす。
【００２８】
エンベロープは、外側金属製フレームを形成する金属製支持体６に取り付けられたストラップ５によって保持される。支持体は、構造的な多目的バックボーンをテントに提供する。汚染状態のエンベロープを破棄した後支持体６を再使用することができる。
【００２９】
保護テント１は、エンベロープ形テントの漏れ止め性を損なうことなく物体をエンベロープ形テント内に運び込むと共に／或いはこれから運び出すことができる漏れ止めポート７、例えばエアロックを有している。また、取扱中、支援のために必要な装置（図示せず）、例えば、機材、ツール、電力引出口、モニタ装置、非常時消火機器、例えば遠隔制御操作のためのロボットアーム、換気管等を漏れ止めテント内に漏れ止め状態で持ち込むことができる。分解ツールの作動は、保護テントの外側に立っているオペレータによって実施される。かかるオペレータは、プロセスグローブボックスを稼働させている間に用いられるツール及びモニタ装置と同様なツール及びモニタ装置を装備するのが良い。さらに、例えば分解作業の結果として生じる廃棄物等の排出のために廃棄物容器８を漏れ止めテントに漏れ止め状態で結合する。
【００３０】
保護テント１は、好ましくは、光がテント内に入り込むことができるようにすると共にテントの内部を見ることができるようにする少なくとも１つの漏れ止め窓９を更に有する。保護テントは、テントの構成材料に設けられた少なくとも１つのグローブポート１１を更に有する。例えば、１つ又は２つ以上のグローブ、例えば１つ又は２つ以上の対をなすグローブが漏れ止め状態でグローブポートに取り付けられていて、エンベロープ内での手動行為を可能にするようになっている。
【００３１】
保護テント１は、好ましくは、エンベロープ３の内部を換気したりエンベロープ３内部に真空を生じさせたりすることができるようにする換気システム（図示せず）に連結された図８に示されている少なくとも１つの換気配管５０を更に有する。本発明との関連において「真空」は、周囲雰囲気の圧力よりも特に１００〜２００Ｐａ低い圧力であると理解されたい。換気は、一般的に、相当な機械的損傷が生じた場合であっても核汚染物質の放出を最小限に押さえるよう適当な流量、例えば６０ｍ3／ｈで実施される。テントは、代表的には、例えば分解された部品又は分解用機器により引き起こされるテント３の機械的損傷の場合に偶発的な汚染物質の放出を一段と阻止するよう真空（１００〜２００Ｐａ）下に維持される。グローブボックスを分解する前に、エンベロープの耐性が、好ましくは、高い真空、例えば作業真空の２倍を加えることによって試験される。「耐性」という用語は、テントの構造的耐性並びに構成要素としての軟質シート相互間の溶接部又はシーム、真空に起因した技術的労力及びテントを金属製支持体６に取り付けた後、オペレータが部品を取り扱ったりツールを作動させたりすることに由来する他の作業上の技術的労力の構造的耐性であると理解されたい。
【００３２】
エンベロープは、典型的には、軟質又は柔軟性の帆布（キャンバス）材料、例えば織又は不織ポリマー軟質シート、例えば織ポリエーテルスルフォン（ＰＥＳ）箔で作られる。軟質シートは、一方の面又は両面が例えばポリ塩化ビニル（ＰＶＣ）で被覆されるのが良く、かかるＰＶＣは、構造的耐性をもたらすと共にエンベロープの製造中、シートの溶接及び／又は接着を容易にする。
【００３３】
図２は、図１のテントの断面図である。エンベロープは、互いに取り付けられた第１の軟質の扁平なシート２０及び第２の軟質の扁平なシート２１を有する。分かりやすくするために、２枚のシートしか備えていないテントが示されているが、本発明は、エンベロープが２枚のシートだけで作られたテントには限定されず、テントを形成するために複数枚のシートを用いることができることは明らかである。図示の実施例では、第１のシートは、テントの下側部分を形成し、第２のシートは、テントの上側部分を形成する。
【００３４】
エンベロープを形成する異なるシートの取り付けを可能にするため、少なくとも１つの第１の機械的に耐性のある且つ再使用可能なクロージャ部材２２が設けられている。本明細書において機械的に耐性のあるという表現は、少なくとも５０Ｎの力に耐えるクロージャ部材を意味している。本明細書において再使用可能という表現は、一般に、クロージャ部材が第１及び第２のシートの複数回の取り付け及び取り外しを可能にしなければならないということを意味している。
【００３５】
図３に示されているように、第１のクロージャ部材２２は、第１の部分２３及び第２の部分２４を有する。第１の部分２３は、第１のシート２０に取り付けられ、第２の部分は、第２のシート２１に取り付けられている。図３に示されている実施例では、第１のクロージャ部材は、好ましくはシートに縫い付けられたジッパによって形成されている。変形例として、面ファスナー取り付け部材、例えばベルクロ（Velcro（登録商標））を用いても良い。第１のクロージャ部材をシートに縫い付ける代わりに、それぞれのシートへの第１及び第２の部分の接着を行っても良い。第１のクロージャ部材の第１の部分と第２の部分は、第１のシート２０と第２のシート２１の相互取り付けを可能にするよう互いに相補している。したがって、第１のクロージャ部材をジッパで形成した場合、第１のシートと第２のシートを互いに取り付けるためにはジッパを閉じるだけで十分であろう。第１のクロージャ部材は、好ましくは、シートの側方境界部及び／又は横方向境界部に沿って取り付けられる。
【００３６】
しかしながら、第１のクロージャ部材は、第１のシートと第２のシートを互いに取り付ける機械的耐性のある且つ再使用可能なクロージャ部材を提供するのに過ぎない。第１のクロージャ部材は、再使用可能である。というのは、例えばジッパ又は面ファスナー取り付け部材を取り扱うことにより第１のクロージャ部材を数回開閉できるからである。
エンベロープを形成するシート相互間の取り付けに漏れ止め性を提供するため、少なくとも１つの第２の漏れ止め性の且つ再使用可能なクロージャ部材が設けられる。このクロージャ部材は、第１のシート２０に漏れ止め状態で連結された第１のフラップ２５及び第２のシート２１に漏れ止め状態で連結された第２のフラップ２６を有している。フラップをシートに漏れ止め状態で連結することは、例えば、フラップをこれらのそれぞれに対応したシートに溶接し又は接着することによって実現される。フラップをシートに取り付けるため、フラップの縁２７，２８は、第１のクロージャ部材２３，２４が取り付けられているシートの部分からオフセットした状態で溶接され又は接着される。好ましくは、フラップは、第１のクロージャ部材に且つ互いに実質的に平行に延びる。第１のフラップ２５と第２のフラップ２６は、更に、好ましくはこれらの別の縁２９，３０に沿って取り付けられた漏れ止めシールによって互いに漏れ止め状態で取り付けられるよう設けられている。
【００３７】
したがって、第１のクロージャ部材２２の第１の部分と第２の部分をいったん互いに取り付けると、第１のフラップ２５と第２のフラップ２６は、第１のクロージャ部材とオーバーラップするよう互いに結合される。しかる後、フラップは、好ましくはこれらの縁２９，３０に沿って互いに溶接され又は接着される。フラップは、好ましくは、ポリ塩化ビニルで作られる。このようにして、第１のシートと第２のシートとの間の漏れ止めクロージャが得られる。
【００３８】
図３に更に示されているように、エンベロープは、機械的に耐性のある且つ再使用可能な複数個の第３のクロージャ部材３１を更に備えている。第３のクロージャ部材３１は各々、第１のシート２０に連結された第１のクロージャ要素３１‐１及び第２のシート２１に連結された第２のクロージャ要素３１‐２を有している。第１のクロージャ要素と第２のクロージャ要素は、閉じ状態にあるときに第１の軟質シートと第２の軟質シートの追加の取り付け部を形成するよう互いに相補している。第３のクロージャ部材は、両方が閉じ状態にあるとき、いつでも第１の機械的クロージャ部材２２を橋渡しする。第３のクロージャ部材は、例えば、バックルで形成され、バックルの要素は、互いにクリップ止めされる。第３のクロージャ部材は、漏れ止め性に悪影響を及ぼさないよう第２のクロージャ部材によって覆われた空間内に設けられる。第１及び第２のクロージャ要素は、好ましくは、これらクロージャ要素が取り付けられるシートに縫い付けられている。第３のクロージャ部材が設けられていることにより、第１のシートと第２のシートとの間の機械的取り付け具合が向上する。第１のクロージャ部材の第１の部分と第２の部分をいったん互いに取り付けると、第３のクロージャ部材は、これらの閉じ状態になり、従って、第２のクロージャ部材は、これらの閉じ状態になる。
【００３９】
図４ａ及び図４ｂは、３つ及び４つの異なるシートがクロージャ部材によって互いにどのように取り付けられるかを示している。図４ａの実施形態では、第３のシート３２が第１のシート２０及び第２のシート２１に取り付けられている。第１のシート２０及び第３のシート３２と第２のシート２１の取り付けのため、第１のクロージャ部材２２、第１のフラップ２５、第２のフラップ２６及び第３のクロージャ部材３１は、実質的に水平方向に延び、これに対し、第１のシート２０と第３のシート３２の取り付けのため、クロージャ部材は、実質的に垂直方向に延びている。
【００４０】
図４ｂで理解できるように、第１のクロージャ部材２２の第１の部分２３及び第２の部分２４は、全てのシートの側方境界部に取り付けられ、そして実質的に水平方向に延びている。第１のシート２０と第３のシート３２の相互取り付け及び第４のシート３３と第５のシート３４の相互取り付けを可能にするため、第１のクロージャ部材は、第１のシート２０及び第３のシート３２の横方向境界部及び第４のシート３３及び第５のシート３４の横方向境界部にそれぞれ取り付けられた第３の部分３５及び第４の部分３６を更に有している。第１のクロージャ部材の第１及び第２の部分と同様、第３の部分３５及び第４の部分３６は、第１及び第３のシート並びに第４及び第５のシートを横方向に互いに取り付けたり取り外したりするよう設けられている。第１のクロージャ部材の第３の部分及び第４の部分は、第１の部分及び第２の部分と同様、好ましくは、これらのそれぞれ対応したシートに縫い付けられるか接着されるかのいずれかが行われ、かかる第３及び第４の部分は、ジッパ又は面ファスナー取り付け部材によって形成されている。
【００４１】
第２のクロージャ部材は、第１のシート２０及び第４のシート３３に漏れ止め状態で連結された第３のフラップ３７及び第３のシート３２及び第５のシート３４に漏れ止め状態で連結された第４のフラップ３８を更に有している。フラップは、これらフラップが取り付けられているシートの横方向縁に沿って延びている。好ましくは、フラップは、これらフラップが取り付けられているそれぞれのシートの広がりの下に位置する表面を越えて延びる。以下において説明するように、これにより、テントを形成するために互いに取り付けられた異なるシートのコーナー部片上における漏れ止め取り付けが可能になる。
【００４２】
第３のフラップ３７及び第４のフラップ３８は、第１のフラップ及び第２のフラップとちょうど同じように、漏れ止めシールによって互いに漏れ止め状態で取り付けられるよう設けられている。図３、図４ａ及び図４ｂに更に示されているように、第３のシート、第４のシート及び第５のシートは、好ましくは、第３のクロージャ部材３１を更に備え、これら第３のクロージャ部材は、実質的に水平方向及び垂直方向に延びている。
【００４３】
第１のシート２０、第２のシート２１及び第３のシート３２を図４ａに示されているように組み立てるため、第１のシートと第２のシートを、例えば、第１のシートに取り付けられている第１のクロージャ部材の第１の部分２３と第２のシート２１に取り付けられている第１のクロージャ部材の第２の部分２４を互いに引き寄せることによって互いに取り付ける。次に、第１のクロージャ部材の第１の部分と第２の部分を互いに取り付け、それにより第１のシートと第２のシートを互いに取り付ける。しかる後、第３のシート３２を第１及び第２のシートの隣りに配置して第３のシートに取り付けられている第１のクロージャ部材の第１の部分２３が第２のシート２１に取り付けられている第１のクロージャ部材の第２の部分２４の隣りに延びるようにする。しかる後、例えばジッパを用いて第１の部分と第２の部分を図５ａに示されているように互いに取り付ける。第３のシートを第２のシートに取り付けることにより、第１のクロージャ部材の第３の部分と第４の部分３６が互いに隣接して延び、それによりこれら部分を互いに取り付けることができ、その結果、第３のシート３２と第１のシート２０は、今や、互いに取り付けられるようになる。しかる後、第３のクロージャ部材３１（もし設けられていれば）を閉じて第１のシートと第２のシートと第３のシートとの間の取り付け具合を図５ｂに示すように向上させる。
【００４４】
これらシートをいったん互いに機械的に取り付けると、第２のクロージャ部材のフラップを図５ａ〜図５ｃに示されているように互いに取り付ける。これは、例えば、第３のフラップ３７と第４のフラップ３８を互いに引き寄せてこれらのそれぞれの縁４０，４１が互いに接触するようにすることによって開始される。次に、例えば縁４０，４１に沿って溶接を施す。第３及び第４のフラップが第１及び第３のシートの横方向縁を越えて延びる場合、施された溶接部も又、これら縁を越えて延び、その結果、フラップは、これらの長さ全体にわたって溶接されるようになる。第１及び第３のシートの横方向縁を越えて延びる区分では、フラップの両方の側方縁をこれらの横方向縁に溶接してフラップの周囲全体にわたって閉じられたシールが得られるようにする。
【００４５】
しかる後、第３のシート３２の第１のフラップ２５と第２のシート２１の第２のフラップを互いに結合してこれらの縁が互いに接触するようにする。次に、溶接を第３のシートの第１のフラップ２５の縁２９及び第１のフラップと平行に延びる第２のシート２１の第２のフラップ２６の区分に沿って施す。この場合も又、その結果生じた溶接部は、関連のフラップ区分の長さ全体にわたって延びる。しかる後、第１のシート２０の第１のフラップ２５と第２のシートの第２のフラップ２６を第３及び第２のシートのうちの一方と同様な仕方で互いに溶接する。次に、第１、第３及び第２のシートの第１のフラップ２５及び第２のフラップ２６上に延びる第３のフラップ３７及び第４のフラップ３８の区分を、例えば溶接を第３のシートの第１のフラップ２５及び第４のフラップの上縁と第３のシートの第１のフラップ及び第４のフラップの下縁区分との間に施すことによって互いに溶接する。次に、別の溶接をこの下縁区分と第１及び第２のシートの第１及び第２のフラップの縁区分との間に施す。最後に、第１及び第２のフラップの横方向縁を互いに溶接する。このようにして、漏れ止めクロージャが得られる。第１のクロージャ部材を通って生じる場合のある漏れは、フラップによって画定された容積部内に捕捉されたままになる。これらフラップは、側方縁及び横方向縁にわたって溶接されるので、漏れ止めエンクロージャが得られ、それにより、外部世界に達するエンベロープからの漏れが回避される。
【００４６】
図４ｂに示されている４枚のシート相互間の連結は、図４ａを参照して説明した連結と類似した仕方で実現され、従って、これについて詳細には説明しない。本発明の保護テントの漏れ止めクロージャ部材は、他のクロージャ部材を更に含んでも良い。例えば、他形式の第１の機械的クロージャ部材、例えば圧力ボタンを用いても良い。これらボタンを変形例としてステープリング又はリベット止めによって取り付けても良い。
【００４７】
図６ａ及び図６ｂは、運搬できない大型の又は複雑なグローブボックスを分解するために設けられた大型保護テントを示している。テント３は、複数枚の隣り合って取り付けられた軟質シートから成る。エンベロープの幾つかの構成部分を覆うことができるかどうかに応じて、１枚又は２枚以上の軟質シート２１がテントの底部に設けられる。一例として、極めて長いエンベロープを２つの長さが通常のエンベロープ部分に分割することにより、製作及び運搬、長いけれども運搬できないグローブボックス周りでの立設並びに包装と細断を連続して行うことによる最終的な処分が容易になる。
【００４８】
図６ａは、直方体の幾何学的形状をした保護テント１を示している。それゆえ、本発明の保護テント１は、多種多様な寸法形状で利用することができ、しかも大きな形状又は複雑な形状のグローブボックスを覆うよう複雑な形状に合わせて製作できる。これが可能である理由は、エンベロープ３を構成する軟質シートを上述の漏れ止めクロージャ部材によって互いに漏れ止め状態で取り付けることができることにある。
【００４９】
図６ｂは、多数の直方体から成る幾何学的形状、即ち２つ以上の直方体を配置して得られた幾何学的形状の保護テント１を示している。この場合も又、この複雑な形状のテントの漏れ止め性は、エンベロープ３の軟質シートを漏れ止めクロージャ部材によって互いに漏れ止め状態に取り付けることができるので達成される。
【００５０】
複雑な寸法形状に対処するため、クロージャ部材は、真っ直ぐな又は湾曲したセグメントの配列体を有するのが良い。１つの真っ直ぐな又は湾曲したセグメントが別の真っ直ぐな又は湾曲したセグメントの隣りに位置決めされ、それにより、最後のセグメントが最初のセグメントに当接し、それにより連続した漏れ止めクロージャが得られる。
【００５１】
図７は、いったん組み立てられたエンベロープの漏れ止め性を試験する方法を示している。保護テントの漏れ止め性を保つことが非常に重要なので、漏れ止め性は、代表的には、好ましくは取り付け後に、そしてそのライフタイムの間で幾つかの場合に更に測定される。例えば、漏れ止め性は、グローブボックスがテント内に導入された後に測定される。グローブボックスを分解目的でテント１内に導入することができるようにするため、エンベロープは、最初に開放され、次に閉鎖されなければならず、汚染状態のグローブボックスが内側にいったん位置すると、漏れ止め性が再び測定される。エンベロープ内でのグローブボックスの分解に着手する前に、空気及び他のガスをエンベロープからポンプで排出し、次に所定の真空に達するようにする。次に、エンベロープへの全ての入口を封止することによってエンベロープを気密封止する。しかしながら、この方法は、かかる核エンクロージャの漏れ止め性を評価するのに十分正確ではない場合がある。特にグローブボックスを分解する上でのかかるエンクロージャの許容漏れ率は、代表的には、数１０-3Ｐａのオーダである。かかる漏れ止め性試験には、幾つかの誤差源、例えば温度と圧力との関係、エンクロージャ壁の最終的な柔軟性等がある。
【００５２】
また、漏れ止め性は、エンベロープ形テントの製造後に評価される。テントの隣り合うシート相互間（１枚の折り畳みシートの異なる縁相互間か異なるシートの縁相互間かのいずれか）に高品質継ぎ目を達成するため、テントは、あらかじめ作成され―好ましくは平行六面体として―それにより、品質保証プログラムが適応される。プロセス制御装置を備えた大型溶接機械（例えば、高周波又は抵抗溶接機）が溶接をシートに取り付けられたフラップに対して施すために専用製作所で用いられる。通常の条件下における全体的漏れ止め性及び偶発的条件に対する全体的耐性は、溶接の信頼性を実証するために分解作業に送られる前に最終製品について試験される。これら試験は、空で且つ非汚染状態のエンベロープを通常の真空及び偶発的真空下（例えば、通常の真空の２倍）に置くことにより実施される。漏れ止め性は、圧力増大方法を用いて測定される。
【００５３】
本発明のインターベンションテントの漏れ止め性を試験する方法は、
ａ）テントの接近ゲートを閉鎖してグローブボックス２の周りにエンベロープ３を立設するステップを有する。
ｂ）テント１の周りに外側使い捨てエンクロージャ４５を設けるステップを有する。好ましくは、エンベロープ３と外側使い捨てエンクロージャとの間には或る程度の距離が残される。
ｃ）入口４６を介してトレーサーガスを所定の濃度でエンベロープ３内に入れるステップを有する。
ｄ）エンベロープ３とエンクロージャ４５との間の空間内へのトレーサーガスの漏れ量を測定するステップを有する。
【００５４】
エンベロープ３の漏れは、エンベロープから出る空気の流量か外側使い捨てエンクロージャ４５内のトレーサーガスの濃度かのいずれかを測定することにより判定可能である。トレーサーガスは、例えば、ＣＯ2、ＳＦ6又は冷媒ガスから選択される。
【００５５】
先行技術の核エンクロージャの場合と同様、この検出及び／又は測定は、テントの換気システムに連結されたトレーサーガスセンサを用いて実施されるのが良い。有利には、トレーサーガス検出精度を高めると共にエンクロージャからの放射性ブローアウトを阻止するため、エンクロージャの内部は又、外側世界に対して真空状態にある。エンクロージャの漏れ止め性は、核エンクロージャ内のガスの濃度によって測定され、かかるガスの濃度は、エンクロージャ内の通常のトレーサーガスセンサを用いて得られる直接的な測定値である。真空を加えることにより、エンベロープからの放射性物質の漏れが阻止される。さらに、これは、この方法の精度の一因ともなる。というのは、エンベロープ内に漏れこむトレーサーガスは、これから再び出るのが阻止され、かくして、測定誤差が減少するからである。有利には、外側エンクロージャ４５内の全ガス圧力は、外側エンクロージャの外部の全ガス圧力よりも低いのが良い。これにより、試験ガスが外側エンクロージャから逃げ出る恐れが減少し、これは、トレーサーガスが全く有害ではないと言えない場合に特に有益である。かくして、外側エンクロージャ内を真空にした状態で漏れ止め性を試験することは、安全且つ正確な実施手段である。確かに、ガス及びガスに運ばれる物質、例えば有害物質は、漏れ止めエンベロープ内を真空にすることによりエンクロージャから出るのが阻止され、これは、より正確なガス測定に寄与する。
【００５６】
汚染状態のグローブボックスをテント内に導入し、隣り合うシートに取り付けられたフラップを溶接し又は接着することによりテントエンベロープを再び漏れ止め状態にした後、安全目的で漏れ止め性を再びチェックする必要がある。この段階でエンベロープを非可逆的に汚染する恐れを回避するため、圧力増大方法がエンベロープに対して用いられる場合、漏れ止め性のチェックは、好ましくは、ＩＳＯ１０６４８‐２法に従って一トレーサーガス方法で実施される。ヘリウムは、この漏れ量レベルをチェックする上で高価な流体なので、他のトレーサーガス、例えばＣＯ2、ＳＦ6及び冷媒ガス（フレオンのようなガス）が考慮される。これらガスの使用は、人体にとって有毒であり且つ環境に対して衝撃を与えるので国際的な規約による制約を受ける。好ましくは、保護テントエンベロープの周りに、特に、トレーサーガスの使用品質を制限するために再使用可能な継ぎ手の周りに一時的エンベロープが構築される。真空のカスケード（Ｐglove box＜Ｐtent envelope＜Ｐtemporary envelope＜Ｐworkshop）が、それぞれの環境及び濾過システムにより一時的に組織化され、それによりエンベロープの時期尚早な汚染を回避すると共にオペレータをエンベロープの時期尚早な偶発的汚染を受けないよう且つ有毒トレーサーガスの吸入をしないよう保護する。テントエンベロープの漏れ率は、規格ＩＳＯ１０６４８‐２に与えられている決まったやり方に従って試験エンクロージャ、テントエンベロープ及びグローブボックス内の空気流量及びトレーサーガス濃度を測定することにより評価される。
【００５７】
この仮設エンベロープがオペレータを受け入れるほど大型であり、適当な換気及び濾過が予期されることを条件として、この仮設エンベロープは、分解又は保守作業の間、偶発的汚染（例えば、グローブに設けられたピンホールを介して）の場合に作業所内での汚染の広がりを制限する追加の核封じ込めシステム（「第３のバリヤ」）としても利用可能である。
【００５８】
クロージャ部材を用いて異なるシートを互いに取り付けることによって本発明のテントをいったん構築すると共に漏れ止め性をいったん試験すると、テントは、汚染状態の物体に対するインターベンションのために使用可能である。クロージャ部材は、全て再使用可能なので、テントがインターベンション中に汚染されない限り、テントを取り外すことが可能であり、これは、テントの内部で行われる。この目的のため、例えば施された溶接部又は施されたグルーストライプを切除することによってフラップを開く。このようにすると、第１のクロージャ部材及びもし設けられていれば第３のクロージャ部材への接近が再び行われ、これらを開くことができる。フラップは、当初、テントの取り付け取り外しを含む数回の使用を可能にするために例えば５０ｃｍの十分な幅を有している。
【００５９】
テントを汚染状態の物体に対するインターベンションのために数回用いることができるが、テントは、その寿命の間における一時点において、テントが損傷し又は破れるという理由かテントの汚染度が大きすぎるという理由かのいずれかによりそのライフサイクルの終わりに達する。テントがその寿命の終わりに達すると、テントを破棄して安全な仕方で保管する必要がある。好ましくは、テントを破棄する前に、エンベロープの内壁をスプレーで被覆する。その目的は、汚染粒子をエンベロープの内壁にできるだけ多くくっつけることにある。このようにすると、二次核廃棄物又は他の汚染廃棄物が生じる。エンベロープの構成材料が可燃性であり、これがハロゲンを含む場合があるということに鑑みて、かかる物質は、ドラム内に保管されるのが良い。この目的のため、ドラム内での保管を可能にするようエンベロープを折り畳む必要がある。エンベロープの寸法に応じて、エンベロープは、ドラム内に直接保管されるか小片に切断された後に保管されるのが良い。
【００６０】
図８は、本発明に従って保護及び使い捨てインターベンションエンベロープ３を保管する方法の種々のステップを示している。汚染空気又はガスが外部雰囲気に達するのを回避するため、エンベロープ３は、その出口５０を介して空気ポンプ輸送装置（図示せず）に連結される。エンベロープは、その支持構造体から取り外され、重力により地面上に落下する。空気ポンプ輸送装置は、エンベロープを取り外している間及び更にエンベロープが地面上に落下したときでも出口５０に取り付けられたままである。
【００６１】
エンベロープは、地面への落下によって、文字通り潰れ、従って、エンベロープを折り畳んでまとめ、それにより束状の構造体が得られる。また、この折り畳み中、ポンプ輸送装置は、稼働状態のままである。しかる後、折り畳んだエンベロープを包装して包装状態のエンベロープを形成し、その間、空気及びガスをエンベロープの内側本体からポンプで送り出し続ける。エンベロープをいったん包装すると、ポンプ輸送装置は、エンベロープから切り離され、しかる後、エンベロープは、一次的管５３内に移される。エンベロープがいったん一次的管内に入れられると、一次的管の両方の端部にシール５１，５２を被着させることにより封止される。一次的管は、好ましくは、ポリ塩化ビニル（ＰＶＣ）で作られる。
【００６２】
エンベロープが図９（この図では３つの区分で作られたエンベロープが示されている）に示されているように大型の構造体から成る場合、各区分は、ポンプ輸送装置に連結される。これら区分は、折り畳み前に、フラップに切れ目を入れ、第１のクロージャ部材を開くと共に必要ならば第３のクロージャ部材を開くことによって互いに分離される。このようにして、これら区分があたかも個々のエンベロープであるかのようにこれら区分を別々に取り扱うことができる。
【００６３】
各エンベロープが一次的管５３内にいったん収納されると、エンベロープ及びその封止一次的管５３を二次的管５６内に移す。二次的管５６は、図１０に示されているように、好ましくは、ポリウレタンで作られ、その入口開口部のところにＯリング５４を備えている。これにより、二次的管及びその内容物をグローブボックス入口に取り付けることができ、ここで、エンベロープ並びに一次的及び二次的管を廃棄することができる。Ｏリングの使用により、グローブボックスへの二次的管の実質的に漏れのない連結が可能である。エンベロープをグローブボックス内にいったん破棄すると、破棄したエンベロープを他の汚染状態の物体に用いられるのと同様な仕方でドラム内に保管することができる。
【００６４】
図１１は、図１０を参照して説明した方法と類似の方法を示している。図１１の方法は、二次的管が用いられないという点で図１０の方法とは異なっている。エンベロープは、一次的管内に包み込まれた状態で、直接ドラム５７内で保管される。
【符号の説明】
【００６５】
１  エンベロープ形テント
２  グローブボックス
３  エンベロープ
５  ストラップ
６  支持体
７  エアロック
９  窓
１１  グローブポート
２０  第１のシート
２２  第２のシート
２２  第１のクロージャ部材
２３  第１の部分
２４  第２の部分
２５，２６  第２のクロージャ部材（第１のフラップ及び第２のフラップ）
２７，２８，２９，３０  縁
３１  第３のクロージャ部材
３１‐１  第１のクロージャ要素
３１‐２  第２のクロージャ要素
【図１】
2014098556.tif 000003
【図２】
2014098556.tif 000004
【図３】
2014098556.tif 000005
【図４ａ】
2014098556.tif 000006
【図４ｂ】
2014098556.tif 000007
【図５ａ】
2014098556.tif 000008
【図５ｂ】
2014098556.tif 000009
【図５ｃ】
2014098556.tif 000010
【図６ａ】
2014098556.tif 000011
【図６ｂ】
2014098556.tif 000012
【図７】
2014098556.tif 000013
【図８】
2014098556.tif 000014
【図９】
2014098556.tif 000015
【図１０】
2014098556.tif 000016
【図１１】
2014098556.tif 000017
【外国語明細書】
2014098556.tif 000018
2014098556.tif 000019
2014098556.tif 000020
2014098556.tif 000021
2014098556.tif 000022
2014098556.tif 000023
2014098556.tif 000024
2014098556.tif 000025
2014098556.tif 000026
2014098556.tif 000027
2014098556.tif 000028
2014098556.tif 000029
2014098556.tif 000030
2014098556.tif 000031
2014098556.tif 000032
2014098556.tif 000033
2014098556.tif 000034
2014098556.tif 000035
2014098556.tif 000036
2014098556.tif 000037
2014098556.tif 000038
2014098556.tif 000039
2014098556.tif 000040
2014098556.tif 000041
2014098556.tif 000042
2014098556.tif 000043
2014098556.tif 000044
2014098556.tif 000045
2014098556.tif 000046
2014098556.tif 000047
2014098556.tif 000048
2014098556.tif 000049
2014098556.tif 000050
2014098556.tif 000051
2014098556.tif 000052
2014098556.tif 000053
2014098556.tif 000054
2014098556.tif 000055
2014098556.tif 000056
2014098556.tif 000057